(57)【特許請求の範囲】
【請求項１】
被写体の画像を撮影する撮像部と、前記撮像部で撮影した画像をデジタル信号に変換するデジタル信号処理部と、前記デジタル信号処理部で変換されたデジタル画像信号を記憶する記憶手段と、前記記憶手段のデジタル画像信号を圧縮する圧縮部と、本装置に着脱可能で前記圧縮部で圧縮されたデジタル画像信号が記録される記録媒体と、前記記録媒体に記録されたデジタル画像信号を再生して前記記憶手段に記憶する再生部と、前記撮像部で撮影している画像または前記記憶手段で記憶されたデジタル画像信号を表示する表示部と、前記記録媒体が本装置から離脱されていることを検出して、前記圧縮部と前記再生部の機能を無効にし、撮影時には前記記憶手段に記憶されたデジタル画像信号を前記記録媒体に記憶せず、再生時には前記記憶手段に記憶されたデジタル画像信号を前記表示手段で表示するよう制御する検出部とを備えたことを特徴とするデジタルスチルカメラ装置。
【請求項２】
前記表示部に画面グループが表示された時にその画面グループの中から所望のデジタル画像を選択可能な操作部を備えたことを特徴とする請求項１に記載のデジタルスチルカメラ装置。
【発明の詳細な説明】
【０００１】
【発明の属する技術分野】
本発明は、撮影した画像信号をデジタル画像信号に変換して記録媒体に記録するデジタルスチルカメラ装置に関するものである。
【０００２】
【従来の技術】
近年、デジタルスチルカメラ装置は撮影した画像データの移動が簡単で高速に行えるように取り外し可能な記録媒体が搭載されている。
【０００３】
以下に従来のデジタルスチルカメラ装置について説明する。
図４は従来のデジタルスチルカメラ装置のブロック図を示すものである。図４において、１０は画像を撮影する撮像部である。１１は撮像部１０で撮影された画像をデジタル信号に変換するデジタル信号処理部、１２はデジタル画像信号を格納する記憶手段であるメモリ部、１３はデジタル画像信号を圧縮する圧縮部、１４は取り外し可能な記録媒体、１５は記録媒体１３に記録されたデジタル画像信号を再生する再生部、１７はデジタル信号処理部１１の出力信号かメモリ部１２から出力される再生信号かを切り換える切り換えスイッチ、１６は切り換えスイッチ１７から出力されるデジタル画像信号を表示する画像表示部である。
【０００４】
以上のように構成された従来のデジタルスチルカメラ装置について、以下その動作について説明する。
【０００５】
まず、撮影時には、撮像部１０で撮影された画像信号がデジタル画像処理部１１でデジタル画像信号に変換され、メモリ部１２に格納される。メモリ部１２のデジタル画像信号は圧縮部１３でデジタル圧縮され、本装置に対して取り外し可能な記録媒体１４に画像ファイルとして記録される。表示部１６には切り換えスイッチ１７によりデジタル信号処理部１１で変換されたデジタル画像信号が供給され、撮像部１０で撮影している画像を表示することができる。
【０００６】
次に、再生時には、再生部１５が記録媒体１４から画像ファイルを読み出し、元のデジタル画像信号に伸長してメモリ部１２に格納する。メモリ部１２から読み出したデジタル画像信号は、スイッチ１７を介して表示部１６へ入力され、表示部１６は再生画像を表示することができる。
【０００７】
【発明が解決しようとする課題】
しかしながら上記の従来の構成では、記録媒体１４を本装置に装着していないと撮影したデジタル画像信号を記録することも再生することもできない構成となっているので、例えば公衆の場（店頭など）に展示して常時表示部１６から再生画像を出力する場合には、取り外し可能な記録媒体１４の盗難や紛失が生じる可能性があるという問題点があった。また、盗難や紛失を防止するために、本装置の記録媒体の装着部を粘着テープなどで塞ぐようにすればよいが、装置の美感を著しく低下させてしまう。さらに、展示専用として装置に対して取り外し不可能な記録媒体を作成する方法もあるが、汎用性を損なうと共にコストアップにつながってしまうという問題点を有していた。
【０００８】
また、表示部にはデジタル画像が１つしか表示できないので、記憶容量の大きいメモリや記録媒体を使用した時に、所望のデジタル画像を探すのに時間がかかり、操作性を低下させていた。
【０００９】
本発明は上記従来の問題点を解決するもので、展示用に記録媒体がなくても撮影と再生動作が可能で、また操作性を向上できるデジタルスチルカメラ装置を提供することを目的とする。
【００１０】
【課題を解決するための手段】
この目的を達成するために本発明のデジタルスチルカメラ装置は、被写体の画像を撮影する撮像部と、撮像部で撮影した画像をデジタル信号に変換するデジタル信号処理部と、デジタル信号処理部で変換されたデジタル画像信号を記憶する記憶手段と、記憶手段のデジタル画像信号を圧縮する圧縮部と、本装置に着脱可能で圧縮部で圧縮されたデジタル画像信号が記録される記録媒体と、記録媒体に記録されたデジタル画像信号を再生して記憶手段に記憶する再生部と、撮像部で撮影している画像または記憶手段で記憶されたデジタル画像信号を表示する画像表示部と、記録媒体が本装置から離脱されていることを検出して圧縮部と再生部の機能を無効にし、撮影時には前記記憶手段に記憶されたデジタル画像信号を前記記録媒体に記憶せず、再生時には前記記憶手段に記憶されたデジタル画像信号を前記表示手段で表示するよう制御する検出部とを備えたものである。
【００１１】
この構成によって本装置に記録媒体が装着されていない場合、撮影時には撮影したデジタル画像信号を記憶手段に格納されるだけになり、再生時には再生部の機能が働かないため記憶手段に格納された撮影したデジタル画像信号は保存され画像表示部に表示される。よって展示する場合、取り外し可能な記録媒体を装着しなくても、または特別に取り外し不可能な記録媒体を作成して搭載しなくても撮影と再生の動作を実行させることができる。
【００１２】
【発明の実施の形態】
本発明の請求項１に記載の発明は、被写体の画像を撮影する撮像部と、撮像部で撮影した画像をデジタル信号に変換するデジタル信号処理部と、デジタル信号処理部で変換されたデジタル画像信号を記憶する記憶手段と、記憶手段のデジタル画像信号を圧縮する圧縮部と、本装置に着脱可能で圧縮部で圧縮されたデジタル画像信号が記録される記録媒体と、記録媒体に記録されたデジタル画像信号を再生して記憶手段に記憶する再生部と、撮像部で撮影している画像または記憶手段で記憶されたデジタル画像信号を表示する画像表示部と、記録媒体が本装置から離脱されていることを検出して圧縮部と再生部の機能を無効し、撮影時には前記記憶手段に記憶されたデジタル画像信号を前記記録媒体に記憶せず、再生時には前記記憶手段に記憶されたデジタル画像信号を前記表示手段で表示するよう制御する検出部とを備えたものであり、本装置を展示する場合、取り外し可能な記録媒体を装着しなくても、または特別に取り外し不可能な記録媒体を作成して搭載しなくても撮影と再生の動作を実行させることができるという作用を有する。
【００１３】
また請求項２に記載の発明は、請求項１に記載の発明であって、表示部に画面グループが表示された時にその画面グループの中から所望のデジタル画像を選択可能な操作部とを備えたものであり、記憶手段に記憶された複数の表示画面を、複合画像処理部で複合して画面グループを作成して表示し、操作部で所望の小型表示部を選択することで、所望の画像を素早く表示ができる。また、記憶手段の記憶容量が大きい場合に多数の画像が記憶可能なので、その中から所望の画像を素早く選択できるという作用を有する。
【００１４】
以下、本発明の実施の形態について、図１を用いて説明する。
（実施の形態１）
図１は本実施の形態のデジタルスチルカメラ装置のブロック図であり、図１において、１は被写体などの画像を撮影する撮像部、２は撮像部１で撮影された画像をデジタル画像信号に変換するデジタル信号処理部、３はデジタル信号処理部２からのデジタル画像信号を格納する記憶手段であるメモリ部で、本実施の形態では書き込み及び読み出し時間を考えてダイナミック・ランダム・アクセス・メモリ（ＤＲＡＭ）を用いているが、ＶＲＡＭ（ビデオＲＡＭ）やＳＲＡＭ（スタティックＲＡＭ）など、書き込み及び読み出しが可能な記憶手段であれば、これに限定されない。４はメモリ部３から出力されるデジタル画像信号を圧縮する圧縮部、５は圧縮部４から出力される圧縮されたデジタル画像信号を画像ファイルとして記録可能な記録媒体で、装置に対して取り外し可能な構成となっており、また記録媒体としてＳＲＡＭやＶＲＡＭなどの読み出し及び書き込み可能なものを用いているが、光ディスクや光磁気ディスクなどでもよい。６は記録媒体５に記録された画像ファイルを伸長してデジタル画像信号として再生してメモリ部３に記憶する再生部、８はデジタル信号処理部２からの撮影したデジタル画像信号かメモリ部３からのデジタル画像信号かを切り換えるスイッチ、７はスイッチ８で選択されたデジタル画像信号を表示する画像表示部で、液晶表示部などが用いられる。９は記録媒体５が本装置に対する装着状態（装着または未装着）を検出する検出部である。
【００１５】
以上のように構成されたデジタルスチルカメラ装置について、図１を用いてその動作を説明する。
【００１６】
まず撮影時には、撮像部１で撮影された画像信号がデジタル画像処理部２でデジタル画像信号に変換され、メモリ部３に格納される。ここで検出部９が、取り外し可能な記録媒体５が本装置に装着されていることを検出すれば、検出部９は圧縮部４の動作を有効にするよう制御し、メモリ部３からのデジタル画像信号は圧縮部４でデジタル圧縮され、記録媒体５に画像ファイルとして記録される。
【００１７】
また検出部９が、記録媒体５が装着されていないことを検出すれば、検出部９は圧縮部４の動作を無効にするよう制御し、メモリ部３からのデジタル画像信号は記録媒体５には記録されない。そして、表示部７にはスイッチ８を介してデジタル信号処理部２で変換されたデジタル画像信号が供給され、撮影中の画像を表示する。
【００１８】
次に再生時には、記録媒体５が本装置に装着していれば、検出部９がこれを検出して再生部６を有効にするよう制御する。そして再生部６は、記録媒体５から画像ファイルを読み出して元のデジタル画像信号に伸長してメモリ部３に出力し、メモリ部３はこのデジタル画像信号を格納する。
【００１９】
また記録媒体５が本装置に装着されていなければ、検出部９がこれを検出して再生部６を無効にするよう制御する。そして、スイッチ８をメモリ部３側に切り換え、メモリ部３に記憶されたデジタル画像信号を読み出し、表示部７にはそのデジタル画像信号が供給され表示することができる。
【００２０】
以上のように本実施の形態によれば、本装置に対する記録媒体５の装着状態を検出部９が検出し、圧縮部４及び再生部６を制御することによって、記録媒体５が本装置に装着されていない時には、撮影時はデジタル画像処理部２からのデジタル画像信号を表示部７に出力し、再生時はメモリ部３に記憶されたデジタル画像信号を表示部７に出力するようにしたものである。
【００２１】
（実施の形態２）
以下、本発明の実施の形態２について、図面を用いて説明する。
【００２２】
図２は本実施の形態のデジタルスチルカメラ装置の構成を示すブロック図、図３は同実施の形態による表示部の表示例を示す模式図である。図２において、実施の形態１と同様の構成要素には同一番号を付与してその説明は省略する。２１はメモリ部３から出力されるデジタル画像信号を蓄え複数の画像を１つの画像データに処理する複合画像処理部、２０は複合画像表示部２１で処理された複合画像信号が表示部７に表示されたのを見て所望の画像を選択する操作部である。図３において、３１は表示部、３１ａ〜３１ｉは表示部３１に複数表示された小型表示部で、本実施の形態では一度に９個の小型表示部が表示されるようになっているが、これに限定されない。３２ａ及び３２ｂは９個の小型表示部を１画面としてその画面毎に前後送りが可能な画面送り部である。
【００２３】
以上のように構成された本実施の形態のデジタルスチルカメラ装置について、以下その動作について説明する。
【００２４】
まず撮影時には、撮像部１で撮影された画像信号がデジタル画像処理部２でデジタル画像信号に変換され、メモリ部３に格納される。ここで検出部９が、取り外し可能な記録媒体５が本装置に装着されていることを検出すれば、検出部９は圧縮部４の動作を有効にするよう制御し、メモリ部３からのデジタル画像信号は圧縮部４でデジタル圧縮され、記録媒体５に画像ファイルとして記録される。
【００２５】
次に再生時には、記録媒体５が本装置に装着されていれば、再生部６で記録媒体５に記録されたデジタル画像信号を再生し、記録媒体５が装着されていなければ、メモリ部３に記憶されたデジタル画像信号を複合画像処理部２１へ出力する。複合画像処理部２１では、メモリ部３からのデジタル画像信号を複数個を１画面として複合して画面グループを作り、スイッチ８を介して表示部７で表示する。その表示例を図３に示す。
【００２６】
図３に示すように、１度に９個の小型表示部３１ａ〜３１ｉが表示されるようになっており、使用者は操作部２０を操作して、これらの小型表示部３１ａ〜３１ｉの中から所望の小型表示部を選択する。選択方法は、機器本体上に上下左右のカーソルキーを設けて選択可能にする方法がある。また、画面送り部３２ａ及び３２ｂを用いて別の小型画面に切り換えることができる。なお、本実施の形態では画面グループ１つに９個の小型表示部を表示するようにしたが、小型表示部の数はこれに限定されない。
【００２７】
以上のように本実施の形態によれば、メモリ部３に記憶された複数の表示画面を、複合画像処理部２１で複合して画面グループを作成して表示し、操作部２０で所望の小型表示部を選択することで、所望の画像を素早く表示ができる。また、メモリ部３の記憶容量が大きい場合に多数の画像が記憶可能なので、その中から所望の画像を素早く選択できるものである。
【００２８】
なお、本実施の形態において、図３に示す小型表示部には撮影した画像のみが表示されているが、これと共に撮影日時や撮影タイトルなどを表示可能としてもよい。
【００２９】
【発明の効果】
以上のように本発明は、デジタルスチルカメラ装置を展示する場合、取り外し可能な記録媒体を装着しなくても、または特別に取り外し不可能な記録媒体を作成しなくても、撮影と再生の動作を実行させることができるという優れた効果が得られるものである。
【００３０】
また、複数の表示画面を、複合画像処理部で複合して画面グループを作成して表示し、操作部で所望の小型表示部を選択することで、所望の画像を素早く画面表示ができるので、操作性を向上できるという優れた効果が得られるものである。
【図面の簡単な説明】
【図１】本発明の実施の形態１におけるデジタルスチルカメラ装置のブロック図
【図２】本発明の実施の形態２におけるデジタルスチルカメラ装置のブロック図
【図３】本発明の実施の形態２におけるデジタルスチルカメラ装置の表示例を示した模式図
【図４】従来のデジタルスチルカメラ装置のブロック図
【符号の説明】
１  撮像部
２  デジタル信号処理部
３  メモリ部
４  圧縮部
５  記録媒体
６  再生部
７  表示部
８  スイッチ
９  検出部
【図１】
0003642164.tif 000002
【図２】
0003642164.tif 000003
【図３】
0003642164.tif 000004
【図４】
0003642164.tif 000005